(57)【要約】  本発明は、熱分解により炭化水素を含有する製品を処理するための、特に古タイヤ及び／又は類似のゴム製品、およびプラステイックなどを処理するための方法及び装置に関する。この方法に従えば、仕込みが行われた反応器（２）を加熱炉（１）内に配置する；第一ステージで、反応器（２）を８０から１２０℃の温度に加熱し、約２０分間この温度で保持し、並行して進行する第二ステージで、反応器（２）に窒素を吹き込む；反応器（２）内の水分及び酸素を減量させる；次の工程段階で、１から２時間かけて反応器（２）内の温度を３６０から４２０℃に再び昇温させる；次の段階で、処理温度を４８０℃に、かつ最高６００℃まで１０から６０分の短時間で昇温させる；熱分解後、熱分解ガスを反応器（２）から取り出して、冷却及び緩和モジュール（４）に供給し、この間に反応器（２）の底部に堆積した炭素を吸引除去し、かつ金属成分を反応器（２）から回収する。本発明の方法は、加熱炉（１）に入れることができる少なくとも一つの反応器（２）からなる装置により実施する。本発明に従えば、反応器（２）の底部（１８）は凹形状であり、蓋（１７）は案内突出部（２８）を備え、この突出部は蓋収容部（２２）に密閉状に係合され、かつリフレクター（３０）及びエッジリフレクター（３１）が蓋（１７）の内側に形成されている。
2009500504.tif 000002
【特許請求の範囲】
【請求項１】
加熱炉内に収容された反応器を用いて、炭素、熱分解油、残留ガス、及び金属成分を回収する目的で、低温度熱分解により、炭化水素を含有する製品、特に古タイヤを処理する方法であって、
仕込みが行われた反応器（２）を加熱炉（１）内に配置した後、第一ステージで、反応器（２）を８０から１２０℃の範囲の温度に加熱し、約２０分間にわたりこの温度で保持し、第二ステージで、並行して、反応器（２）に窒素を吹き込み、反応器（２）内の水分及び酸素を減量させ、次の工程段階で、１から２時間かけて反応器（２）内の温度を３６０から４２０℃に更に昇温させ、次の作業段階で、処理温度を４８０℃に、かつ最高６００℃まで１０から６０分の短時間で昇温させ、かつ、熱分解工程完了後に、熱分解ガスを反応器（２）に通過させ、冷却及び緩和モジュール（４）を通過させ、この間に反応器（２）の底部領域に沈殿した炭素を吸引除去し、金属成分を反応器（２）から回収することを特徴とする方法。
【請求項２】
熱分解時に放出され、上昇して、反応器（２）内に浮遊した物質粒子を、制御された方法で反応器（２）に循環させて、熱分解が起きる工程回路に組み込むことを特徴とする請求項１に記載の方法。
【請求項３】
加熱炉（１）に供給される加熱空気、及び反応器（２）内の温度を管理し、好ましくは電子的手段により管理し、かつサーモスタットを用いて加熱炉（１）及び反応器（２）の温度管理を行うことを特徴とする請求項１及び２の任意の一項に記載の方法。
【請求項４】
排出ガスライン（２５）を経由して、反応器（２）から熱分解ガスを移送することを特徴とする請求項１から３の任意の一項に記載の方法。
【請求項５】
処理される古タイヤを、収容装置を用いて、それぞれの場合、積み重ねた状態で、反応器（２）に入れ、かつ反応器（２）から除くことを特徴とする請求項１から４の任意の一項に記載の方法。
【請求項６】
装置が、加熱炉（１）に入れることができる一つ以上の反応器（２）からなり、反応器（２）の底部（１８）が凹形状であり、蓋（１７）が案内突出部（２８）を備え、この突出部が蓋収容部（２２）に密閉状に係合され、かつリフレクター（３０）及びエッジリフレクター（３１）が蓋（１７）の内側に配置されていることを特徴とする請求項１に記載の方法を実施する装置。
【請求項７】
反応器（２）が、反応器（２）の底部（１８）と加熱炉（１）内の取付け面の間の地上高を形成する支持脚（１９）をもち、これが反応器（２）内の工程管理にプラス効果を与えることを特徴とする請求項６に記載の装置。
【請求項８】
底部（１８）が、好ましくは平面であり、かつ供給ライン接続部（２０）が、底部（１８）上の、反応器（２）の容器壁に配置されていることを特徴とする請求項６及び７の任意の一項に記載の装置。
【請求項９】
蓋収容部（２２）に密閉システムが設けられ、蓋（１７）及び案内突出部（２８）が中央開口部をもつように構成され、蓋（１７）が接続要素（２４）を備えて構成されていることを特徴とする請求項６から８の任意の一項に記載の装置。
【請求項１０】
蓋（１７）の案内突出部（２８）が、平面の表面形状、又は内側で凹形状に構成された表面形状をもつことを特徴とする請求項６から９の任意の一項に記載の装置。
【請求項１１】
リフレクター（３０）が、平面、凹面、円錐、角錐又は類似の形状を有することを特徴とする請求項６から１０の任意の一項に記載の装置。
【請求項１２】
エッジリフレクター（３１）が、大面積の中央開口部を有し、かつリフレクター（３０）の形状に合わせて、円錐台形、凹面又は類似の形状に作られたことを特徴とする請求項６から１１の任意の一項に記載の装置。
【発明の詳細な説明】
【技術分野】
【０００１】
本発明は、熱分解により、炭化水素を含有する製品を処理する方法及び装置、特に古タイヤ及び／又は類似のゴム製品、並びにプラスチックなどを処理する方法及び装置に関する。
【背景技術】
【０００２】
炭化水素を含有する製品を処理する熱分解的方法及びシステム、並びに装置は、一般的に知られている。これらは、屑、材料及び廃棄製品から得られる再利用可能な材料を作成するために使用できる。
【０００３】
例えば、流動層反応器が知られており、熱分解流動炉、即ち流動層炉であり、この反応器内で、熱分解材料は、完全な断片又は粉砕された形状のいずれかで熱分解される。
【０００４】
流動層反応器は、ＤＥ２６５８３７１Ｃ２、及びＤＥ３５４５９５４Ａ１から知られており、これらの特許明細書中では、出発物質が上部から炉内に導入され、熱分解される。一方で、ガス状物質が頂上部に向けて汲み上げられ、かつ固体物質が底部に向けて放出される。
【０００５】
これらの装置の構造は比較的複雑であり、かつ砂／セメントクリンカー床を使用し、流動ガスが相応して放射状に導入されるので、場合によっては、流動床で適切な流動条件を維持することが問題になり、かつこの流動床は、導入される材料本体により容易に平衡状態がくずれる可能性がある。
【０００６】
熱分解材料が完全な断片又は粉砕された形状のいずれかで熱分解される熱分解流動炉、即ち流動層炉は、例えばＤＥ４４４７３５７Ａ１、及びＤＥ２９２５２０２Ａ１に記載されている。
【０００７】
これらの流動炉の欠点は、きわめて複雑な構造をもっており、それぞれの場合、材料の特別な種類及び／又はサイズに対して設計されており、異なる種類の材料のために容易に改造できないことである。
【０００８】
炭化水素を含有する廃棄製品、特に古タイヤを熱分解する方法及び装置は、ＤＥ１９８３４５９６Ｃ１から知られるようになり、この特許明細書では、熱分解される材料が、熱分解炉に導入され、５００℃で熱分解される。この関係では、処理される古タイヤが、収容装置を経由して、完全な断片で熱分解炉に導入され、これによって、この装置が、同時に炉を確実に封鎖すると推測される。
【０００９】
この方法では、ひとたび予定された熱分解温度に到達したならば、処理される出発材料が直ちに炉から除去され、かつ金属のような異物が取り除かれる。
【００１０】
実際に意図したこの処理法、熱分解法の利用が中断されるならば、廃熱の一部が未利用のままとなり、更なる利用に進まないので、熱分解に不利な影響を与え、エネルギーの観点からは筋が通っていない。
【００１１】
炭化水素を含有する製品の熱分解法の別法は、ＤＥ１０３０９５３０Ａ１から知られており、この方法は、炭化水素を含有する製品、例えば古タイヤを特定の温度、約６００℃までの温度で、漸次に、出発材料の関数として決められる滞留時間で熱分解する工業的方法に関係すると推測される。このようにして、熱分解工程が完了するが、広く用いられる高温度が、他の含有物質に悪影響を与える理由から、この方法が工業的用途に適さないことは、事実である。
【発明の開示】
【発明が解決しようとする課題】
【００１２】
このような背景から、本発明の課題は、炭化水素を含有する製品、特に古タイヤ及び／又は類似のゴム製品を熱分解により処理する方法、その方法により、使用済み製品を工業的規模で処理することが可能となり、かつ反応生成物を有効利用に回わすことができる方法を開発することである。また、同時に、本発明の課題は、この方法を実施するための装置を開発することである。
【課題を解決するための手段】
【００１３】
本発明に従えば、この課題は、特許請求の範囲１などの特徴で達成される。特定の実施形態及び有利な解決策は、従属の特許請求の範囲に示される。
【００１４】
種々の工業的プロセスで、これらのプロセスに対して有効な、質的に同等な二次製品を作ることが技術的に可能性であるならば、新規な、再生不可能な原材料を続けて廃棄することが、現時点で適切でないという事実を認識して、一方では、本発明に従って、古い製品を処理するために、かつ古い製品に固有の材料、熱分解油、炭素、古タイヤに封入された鋼鉄などを回収するために、かつこれらの回収された再利用可能な材料を再利用に回すために、炭化水素を含有する古い材料、例えば古タイヤから、効率的に分離する工業的方法及び装置が開発されるべきである。
【００１５】
炭化水素を含有する製品を処理するために提供された方法は、閉鎖系として、無加圧、低温度領域で正常に機能する熱分解法であり、閉鎖系である故に、環境への汚染物質の放出が防がれる。
【００１６】
開発された方法は、炭化水素を含有し、かつ処理される廃棄製品、投入物、が反応器に収容され、この反応器が加熱炉内に配置された後に、窒素が反応器内部に導入され、温度カーブが８０から１２０℃の範囲で作動して酸素を除去するように熱分解工程が起こり、この工程が約２０分のタイムスパンで実施されることを特徴とする。
【００１７】
続いて、反応器内の温度が３６０から４２０℃の範囲になり、この状態が１から２時間維持されるように、加熱炉内の温度を上昇させる。
【００１８】
その後に、１０から６０分間の、４８０から６００℃への短時間の工程温度の上昇が起こり、反応器内で熱分解工程が完了し、反応器に滞留する恐れがある望ましくない廃棄物は発生しない。熱分解工程で得られた処理ガスは反応器から出て、緩和器を備えた冷却器に送られる。
【００１９】
次の作業段階は、一つには、得られた熱分解ガスの処理に関係し、次には、反応器内に生成した炭素の回収及び処理に関する。
【００２０】
冷却器に導入された処理ガスは、冷却され、緩和される。凝縮の結果として、熱分解油が得られ、この熱分解油が次の作業工程で蒸留、遠心分離、又はろ過により分離される。得られた熱分解油の更なる利用に応じて、熱分解油を主タンクに送り中間的に貯蔵して、続いて品質管理することができる。次に、熱分解油を更に利用するために、このタンクから送出することができる。
【００２１】
並行して起きる別の作業工程は、反応器を冷却制御した後に、反応器を加熱炉から取り出し、開放するように進み、反応器の中にある廃棄製品を、廃棄製品、ここでは古タイヤ用の収容装置とともに除去することができる。
【００２２】
次に、好ましい実施形態では、反応器の内容物を吸引することにより、反応器を空にする。続いて、炭素の冷却、並びに炭素及び金属残留物の分離を行ない、二つの廃棄製品残留物を分けて貯蔵して、更なる利用に回すことができる。
【００２３】
この関係で、脱臭をする必要がある場合には、炭素に固有の悪臭原因成分を除くことが特に好都合である。
【００２４】
炭化水素を含有する廃棄製品を処理する方法を実施するために、本発明に従う装置は、全体的に、そこで熱分解処理が起こり、かつ処理を行うために加熱炉内に移動させ、即ち加熱炉内に入れられた反応器を特徴とするもので、その際に反応器又は加熱炉に配置された反応器に、処理される製品、ここでは古タイヤが仕込まれる。
【００２５】
本発明に従う装置、反応器は、非常に簡単な構造であることから、現存するシステムで使用するために適しているが、そのための必要条件は、加熱炉が、一個以上の本発明の反応器を収容するために適した設計構造になっていることである。言うまでもなく、この関係では、加熱炉は、熱分解を行うため為の必要条件を満たすような技術的に適切な設備を備えていなければならない。
【００２６】
この装置に関係して、本発明の必須要件は、この装置が熱分解反応器の形態で機能モジュールとして構成されること、この反応器が密閉可能な蓋を備えた容器から成ること、この容器が特別に構成された底部を有すること、及び反応器に設けられたリフレクターが蓋の内側に配置されていることである。
【００２７】
これに関係して、反応器が、供給及び排出ラインを接続できる相応する接続部を備え、これらのラインは、加熱炉を通過して、加熱炉の外側に位置し、即ち加熱炉と接続可能な、下流の機能性装置に接続できることが、本発明の一部である。
【００２８】
したがって、この反応器は、その下部領域に、窒素供給ラインのための接続部を備えている。反応器の蓋の上には、ガスライン管が接続される接続要素が設けられ、管内に弁が設けられ、ガスライン管が接続要素への移動経路となり、それにより冷却及び緩和モジュールへの接続が行われる。
【００２９】
蓋の内側に設けされたリフレクターに加えて、反応器の蓋の内部にエッジリフレクターが配置され、このエッジリフレクターは、蓋の上に配置されたリフレクターの形状に、可能な限り広範囲に、対応する特殊な形状に作られることが、更に本発明の一部である。
【００３０】
本発明は、代表的な実施形態を用いて、以下に、より詳細に説明されるであろう。
【００３１】
図１は、必須の作業順序及び関連したシステムの役割を説明するための略系統図である。
【００３２】
図２は、反応器の基礎的線図である。
【００３３】
図３及び４は、反応器の追加的実施形態の変形である。
【００３４】
図５及び６は、当てがわれたリフレクター及びエッジリフレクターを設けた種々の反応器の蓋の構成である。
【実施例】
【００３５】
図１に従う略系統図は、例に古タイヤを用いた、炭化水素を含有する製品を処理する本発明に係る作業順序を、関連したシステム構成要素とともに示す。タイヤは、反応器２に導入される前に、予め貯蔵され、収容装置３に収納される。次に、それぞれの場合、この装置によって、処理される古タイヤが、反応器２に導入される。この古タイヤは、古タイヤが送られた形状で、反応器２に入る。これは、古タイヤが、リム付き及びリム無しの両方の形状で、反応器２に収納されてもよく、このことが工程手順に悪影響を与えないことを意味する。ひとたび、反応器２が、古タイヤで満たされたならば、反応器２はエアータイトに密閉され、加熱炉１内に配置されて、システムのその他の機能性モジュールに必要な接続がなされる。加熱炉１が密閉され、温度が上昇させられる。この段階で、反応器２の加熱が開始され、８０から１２０℃の温度カーブ行程で約２０分間行われ、反応器内にあった水分が除かれる。また、この段階で、窒素が、反応器２の低部領域から反応器２の内部に吹き込まれて、内部にある酸素を排除する。
【００３６】
次の工程段階で、加熱炉１が３６０から４２０℃の範囲の温度に上げられ、これにより反応器２の温度をこれらの値に上昇させ、１から２時間この温度を維持する。この後に、短時間で４８０から６００℃の温度に上昇させられ、この温度範囲が、約１０から６０分間維持されて、熱分解を完全に進行させる。
【００３７】
熱分解工程で放出された熱分解ガスは、排ガスラインを経て冷却及び緩和モジュール４に通され、ここで熱分解油を生成する凝縮が起きる。
【００３８】
次の作業段階では、分離器６で、蒸留、遠心分離、又はろ過により、熱分解油の分離が起きる。
【００３９】
熱分解油は、中間的貯蔵のために形成されたデイタンク（ｄａｙ  ｔａｎｋ）６を経て、それに続く品質管理装置７に運ばれ、次に主タンク８に運ばれ、搬送ラインを経て、必要に応じて送出場所９に通すことができる。
【００４０】
蒸留により、熱分解油の分離が起きる場合は、熱分解油がそれぞれデイタンク６又は主タンク８に移動する前に、熱分解油が冷却される。
【００４１】
熱分解時に得られたその他の再利用可能な材料を、反応器２から移送又は排出する手段は、それぞれの場合、反応器２が加熱炉１から取り出され、反応器２の蓋１７が開放され、炭素、金属残留物及びスチールワイヤなどのそこに含有された再利用可能な材料が、移送され、取り出されるような方法で行われる。
【００４２】
図１に従った概系統図において、これらの工程段階は、排出場所として示されたシステムモジュール１０で行われる。このモジュールでは、同時に、除去される再利用可能な材料の冷却が行われ、次に、材料は、分離装置１１に送られて、炭素及び金属成分の分離が行われる。
【００４３】
金属残留物は、貯蔵及び送出場所１５に送られ、一方、炭素は、仕分け場所１３を経て包装場所１４を通り、続いて貯蔵及び送出場所１６に至る。
【００４４】
好都合な実施形態では、分離装置１１と仕分け場所１３の間に脱臭装置１２が設けられ、炭素に付着した悪臭原因成分が摘出される。
【００４５】
図２では、基本線図を用いて、反応器２の構成及び構造を説明する。反応器２は、凹形状に構成された底部１８を有する円形基本容器からなり、その上部領域に、蓋収容部２２を設けて構成されている。この蓋収容部には、反応器２をエアータイトに封鎖する密閉システムが設けられ、反応器２が蓋１７により閉じられた時に効果を発揮する。
【００４６】
この蓋１７の内側には、案内突出部２８を設けている。この案内突出部２８は、蓋１７と反応器２の間の嵌め合い接続を確実にする。更に、蓋１７には、中央開口部及び接続要素２４を設け、ここにガス排出管２５を当てがう。
【００４７】
更に、補強棒２３が、蓋１７の上部領域に設けられ、この補強棒によって、反応器２に対して、蓋１７の脱着を行うことができる。この作業は、適切な昇降手段により行われる。
【００４８】
反応器は、支持脚１９を備えており、好ましくは３本の支持脚１９が選択され、これにより反応器２が安定して据え付けられる。更に、このようにして行われた加熱炉１内の据付面と反応器２の間の地上高が、以下に一層詳しく説明するように、工程管理に好ましい影響を与える。
【００４９】
反応器２を輸送するために、かつ反応器２を加熱炉１に配置するため、及び加熱炉１から除くために、反応器の外円周に保持具２１が設けられ、ここに巻上機の相当する付属部品を取り付けることができる。
【００５０】
反応器２の底部領域で、底部１８の上に、１個以上の供給ライン接続部が設けられ、これを経て窒素が反応器２の内部に送られる。これらの供給ライン接続部２０に弁が設けられ、一つには、反応器２に汚染物質が侵入することを防ぎ、他方で、反応器２から内容物質が逃げることを防ぐならば、好都合である。
【００５１】
ガス排出ライン２５もまた弁２６を備えており、開閉可能であって、工程管理を行うために使用できる。ここでは熱分解ガスの出口を開閉する。
【００５２】
ガス排出ライン２５の接続要素２７は、次の冷却及び緩和モジュール４に正確に接続するように働く。
【００５３】
この案内突出部２８に加えて、別の機能構成部品が蓋１７の内側に設けられることは、図２に関する説明から明らかである。この構成部品は、特に形成されたリフレクターであり、保持具２９により蓋１７に固定されている。
【００５４】
リフレクター３０は、図５及び６に特に示したように、平面、凹面、円錐形、角錐形、又は類似の形状に構成することができる。
【００５５】
リフレクター３０の配置及びその特別な設計構造は、反応器２内で起きる熱分解工程にプラスの効果をもたらす。その理由は、案内突出部２８及び関連するリフレクター３０を備えた、本発明に従って構成された蓋１７が、広範な意味で、反応器２内の工程管理にプラスの効果をもたらす反応容器蓋を表すからである。具体的には、この蓋１７は、反応器２の堅固な真空状に封閉された状態、及び処理される材料の反応器２内での良好な循環をもたらし、これにより熱分解材料の特に均一な処理が達成される。
【００５６】
このように、熱分解材料の浮上粒子は、リフレクター３０に衝突した時、その構成に応じて屈折され、熱分解材料中に戻る。
【００５７】
関連する蓋１７を含む、反応器２の二つの追加される実施形態が、図３及び４に示される。
【００５８】
このように、図３は、平面状に構成された底部１８を備えた反応器２を示す。この反応器２は、それ自体、既に上で説明し、図２に示したように、支持脚１９を備えており、加熱炉１内で据付面からの必要な地上高を保っている。
【００５９】
この構成において、蓋１７は、図２と類似の手法で構成され、凹面形状に構成されたリフレクター３０が蓋１７の下面に設けられる。
【００６０】
図４に示された反応器２の異なる実施形態では、反応器２は、図２に関する実施形態に類似した、凹面形状の底面１８を備えている。これにより、図４から明らかであるように、蓋１７の案内突出部２８も凹面形状に構成されている。案内突出部２８の凹面形状は、リフレクター３０の凹面形状に相当するが、リフレクター３０の外円周を越えて伸びている。それ故、蓋の領域でも、熱分解材料の均一乾燥が熱分解材料の循環により特に達成されるように、反応器２内の熱分解室が形成される。
【００６１】
この循環工程を最適な手法で設定するために、それぞれの場合に、図５及び６に示したように、設けられたリフレクター３０に追加して、蓋１７の内側にエッジリフレクター３１を配置することが好都合である。
【００６２】
これらのエッジリフレクター３１は、それぞれの場合、リフレクター３０の下に設けられ、リフレクター３０の効果が制限されないように、非常に大きな中央開口部を持つように構成されている。これは、エッジリフレクター３１が、リフレクター３０の外円周と反応器２の内壁の間の中間にある間隙を補うだけであることを意味する。
【００６３】
このように、図５ａは、凹面形状に構成された案内突出部２８を有する蓋１７、及び当てがわれた平面リフレクター３０、並びに円錐台形の形状に構成されたエッジリフレクター３１を示す。
【００６４】
図５ｂは、平面様式に構成された案内突出部２８を有する蓋１７、及び当てがわれた平面リフレクター３０を示し、これに円錐台形の形状に構成されたエッジリフレクター３１が、当てがわれる。
【００６５】
図５ｃに従う説明は、蓋１７、案内突出部２８、及びエッジリフレクター３１の構成に関しては、図５ｂに説明した構成に一致するが、リフレクター３０は凹面形状に構成されている。
【００６６】
図５ｄに示した蓋１７は、案内突出部２８及びエッジリフレクター３１の構成に関しては図５ａの構成に一致するが、ここでは、リフレクター３０は凹面形状に構成されている。
【００６７】
図６ａから６ｂは、案内突出部２８を有する蓋１７を示す。図６ａでは、案内突出部２８が凹面、リフレクター３０が平面、かつエッジリフレクター３１が円錐台形の形状である。図６ｂでは、案内突出部２８が平面、リフレクター３０が平面、かつエッジリフレクター３１が円錐台形の形状である。図６ｃでは、案内突出部２８が平面、リフレクター３０が凹面、かつエッジリフレクター３１が円錐台形の形状である。図６ｄでは、案内突出部２８が凹面、リフレクター３０も凹面、かつエッジリフレクター３１が円錐台形の形状である。
【図面の簡単な説明】
【００６８】
【図１】必須の作業順序及び関連システムの役割を示した略系統図である。
【図２】反応器の基礎的構成を説明する線図である。
【図３】反応器の異なる実施形態を示した説明図である。
【図４】反応器の異なる実施形態を示した説明図である。
【図５】反応器の蓋の種々の構成を示した説明図である。
【図６】反応器の蓋の種々の構成を示した説明図である。
【図１】
2009500504.tif 000003
【図２】
2009500504.tif 000004
【図３】
2009500504.tif 000005
2009500504.tif 000006
【図４】
2009500504.tif 000007
【図５】
2009500504.tif 000008
【図６】
2009500504.tif 000009
【国際調査報告】
2009500504.tif 000010
2009500504.tif 000011
2009500504.tif 000012
2009500504.tif 000013
2009500504.tif 000014
2009500504.tif 000015
2009500504.tif 000016
2009500504.tif 000017
2009500504.tif 000018
2009500504.tif 000019